【手続補正書】
【提出日】平成16年3月24日(2004.3.24)
【手続補正１】
【補正対象書類名】特許請求の範囲
【補正対象項目名】全文
【補正方法】変更
【補正の内容】
【特許請求の範囲】
【請求項１】
ガイドワイヤ又は他の長尺状をなすガイド部材を受承するように設けられた長さ方向に延びる孔と、カテーテル又は長尺状器具の進入を促進するじょうご状をなす進入口とを備え、同進入口は前記孔に連通され、同進入口はまた、カテーテル又は長尺状器具が取付具に挿入されると、ガイドワイヤ又は他のガイド部材がカテーテル又は長尺状器具に接触するように構成され、進入口と孔が連動して、前記接触によりコネクタを係合する、コネクタが設けられたカテーテル又は長尺状器具をガイドワイヤ又は他の長尺状をなすガイド部材に連結することを促進するための取付具。
【請求項２】
前記カテーテル又は長尺状器具のコネクタが、ガイドワイヤ又は他の長尺状をなすガイド部材をカテーテル又は長尺状器具に連結するための螺旋状をなす通路を備える、請求項１に記載の取付具とともに用いられるカテーテル又は長尺状器具。
【請求項３】
前記カテーテル又は長尺状器具のコネクタが、ガイドワイヤ又は他の長尺状をなすガイド部材をカテーテル又は長尺状器具に連結するための螺旋状をなすワイヤを備える請求項１に記載の取付具とともに用いられるカテーテル又は長尺状器具。
【請求項４】
取付具又はカテーテル若しくは長尺状器具に力が付与されると、カテーテルがガイドワイヤ又は他の長尺状をなすガイド部材に接触するように構成された表面を取付具が備え、これにより、カテーテル又は長尺状器具がガイドワイヤ又は他の長尺状をなすガイド部材に連結される、コネクタが設けられたカテーテル又は長尺状器具をガイドワイヤ又は他の長尺状をなすガイド部材に連結することを促進するための取付具。
【請求項５】
前記取付具又は前記カテーテル若しくは長尺状器具に捩り力が付与されると、カテーテル又は長尺状器具をガイドワイヤ又は他の長尺状をなすガイド部材に連結するように、取付具又はカテーテル若しくは長尺状器具が構成される請求項４に記載の取付具。
【請求項６】
前記取付具又は前記カテーテル若しくは長尺状器具に長さ方向に向かう力が付与されると、カテーテル又は長尺状器具をガイドワイヤ又は他の長尺状をなすガイド部材に連結するように、取付具又はカテーテル若しくは長尺状器具が構成される請求項４に記載の取付具。
【請求項７】
前記取付具又は前記カテーテル若しくは長尺状器具に横方向に向かう力が付与されると、カテーテル又は長尺状器具をガイドワイヤ又は他の長尺状をなすガイド部材に連結するように、取付具又はカテーテル若しくは長尺状器具が構成される請求項４に記載の取付具。
【請求項８】
請求項４に記載の取付具とともに用いられる、戻り止めを有するカテーテル又は長尺状器具において、同戻り止めにより前記連結が容易になるカテーテル又は長尺状器具。
【請求項９】
前記戻り止めが段部と口部の少なくとも一方を備える請求項８に記載の取付具。
【請求項１０】
取付具が第１の部分と第２の部分を備え、両部分を連結するためにヒンジが設けられ、同ヒンジにより、第１の部分が第２の部分に対して相対的に回転して、両部分が接触して取付具を閉鎖することができ、第１の部分はＶ字状に隆起した一対の突部を備え、第２の部分は、取付具が閉鎖されると前記突部を収容する凹部を備え、これにより第１の部分と第２の部分が一列に並び、第１の手段はさらにガイドワイヤ又は他の長尺状をなすガイド部材を受承するように設けられた長さ方向に延びる孔を備え、取付具はさらに基端部と先端部を備え、第１の部分と第２の部分は、取付具の基端部において、各々、半分に割ったじょうご状をなす進入口部分を備え、両進入口部分はじょうご状をなす滑面を有する進入口を形成して、カテーテル又は長尺状器具の進入を促進し、同進入口は前記孔に連通され、同進入口はまた、連結を促進するように、カテーテル又は長尺状器具をガイドワイヤ又は他の長尺状をなすガイド部材に案内するように構成される、先端コネクタが設けられたカテーテル又は同様の長尺状器具をガイドワイヤ又は他の長尺状をなすガイド部材に連結することを促進するための取付具。
【請求項１１】
先端コネクタを有し、同先端コネクタが、カテーテル又は長尺状器具の先端部において螺旋状をなす通路を備える、請求項１０に記載の取付具とともに用いられるカテーテル又は長尺状器具。
【請求項１２】
先端コネクタを有し、同先端コネクタが、カテーテル又は長尺状器具の先端部において螺旋状をなすワイヤを備える、請求項１０に記載の取付具とともに用いられるカテーテル又は長尺状器具。
【請求項１３】
ａ）取付具が第１の部分と第２の部分を備え、両部分を連結するためにヒンジが設けられ、同ヒンジにより第１の部分が第２の部分に対して相対的に回転して、両部分が接触して取付具を閉鎖することができ、第１の部分はＶ字状に隆起した一対の突部を備え、第２の部分は、取付具が閉鎖されると前記突部を収容する凹部を備え、これにより第１の部分と第２の部分が一列に並び、第１の部分はさらにガイドワイヤ又は他の長尺状をなすガイド部材を受承するように設けられた長さ方向に延びる孔を備え、取付具はさらに基端部と先端部を備え、第１の部分と第２の部分は、取付具の基端部において、各々、半分に割ったじょうご状をなす進入口部分を備え、両進入口部分は、カテーテル又は長尺状器具の進入を容易にするための、じょうご状をなす滑面を有する進入口を形成し、取付具が閉鎖されると、ガイドワイヤ又は他の長尺状をなすガイド部材が前記突部間に配置され、先端コネクタのガイドワイヤ又は他の長尺状をなすガイド部材への連結を促進するために、カテーテル又は長尺状器具をガイドワイヤ又は他の長尺状をなすガイド部材に案内するように進入口が構成される、取付具を準備する工程と、
ｂ）ガイドワイヤ又は長尺状をなすガイド部材に連結される、先端コネクタを有するカテーテル又は長尺状器具を準備する工程と、
ｃ）ガイドワイヤ又は長尺状をなすガイド部材上において、取付具を閉鎖する工程と、
ｄ）カテーテル又は長尺状器具を進入口に挿入して、抵抗を感じるまでカテーテル又は長尺状器具に力を付与する工程と、
ｅ）取付具を開放し、ガイドワイヤ又は長尺状をなすガイド部材を長さ方向に延びる孔から取り外す工程と
からなる、ガイドワイヤ又は他の長尺状をなすガイド部材の端部に接触させることなく、カテーテル又は長尺状器具をガイドワイヤ又は他の長尺状をなすガイド部材に連結することを促進する方法。
【請求項１４】
ａ）長さ方向に延びる孔と、同孔に連通する進入口と、カテーテルに力を付与すると、同カテーテルがガイドワイヤ又は長尺状をなすガイド部材に接触して、連結されるように設けられた表面とを備える取付具を準備する工程と、
ｂ）  ガイドワイヤ又は長尺状をなすガイド部材に連結されるカテーテル又は長尺状器具を準備する工程と、
ｃ）  ガイドワイヤ又は長尺状をなすガイド部材上において、取付具を閉鎖する工程と、
ｄ）  カテーテル又は長尺状器具を進入口に挿入して、抵抗を感じるまで力を付与する工程と、
ｅ）取付具を開放し、ガイドワイヤ又は長尺状をなすガイド部材を長さ方向に延びる孔から取り外す工程と
からなる、ガイドワイヤ又は他の長尺状をなすガイド部材の端部に接触させることなく、カテーテル又は長尺状器具をガイドワイヤ又は他の長尺状をなすガイド部材に連結することを促進する方法。
【請求項１５】
前記ガイドワイヤ又は長尺状をなす部材が体外に配置される請求項１４に記載の方法。
【請求項１６】
前記ガイドワイヤ又は長尺状をなす部材が体内に配置される請求項１４に記載の方法。
【請求項１７】
前記方法が、さらに、
ｆ）体内から取付具を除去する工程
からなる、取付具が体内に配置される請求項１６に記載の方法。
【請求項１８】
前記力が捩り力で構成される請求項１４に記載の方法。
【請求項１９】
前記力が長さ方向に向かう力で構成される請求項１４に記載の方法。
【請求項２０】
前記力が横方向に向かう力で構成される請求項１４に記載の方法。
【請求項２１】
前記方法が、さらに、
ｆ）ガイドワイヤ又は長尺状をなすガイド部材上において、前記取付具を再度閉鎖する工程と、
ｇ）第２のカテーテル又は長尺状器具を進入口に挿入して、抵抗を感じるまで力を付与する工程と、
ｈ）取付具を開放し、ガイドワイヤ又は長尺状をなすガイド部材を長さ方向に延びる孔から取り外す工程と
からなる、ガイドワイヤ又は他の長尺状をなすガイド部材の端部に接触させることなく、複数のカテーテル又は長尺状器具をガイドワイヤ又は他の長尺状をなすガイド部材に連結することを促進する請求項１３に記載の方法。
【請求項２２】
ガイドワイヤ又は他の長尺状をなすガイド部材が、生体内の管腔内部に延びるように配置される先端部と、生体外に配置される基端部とを有し、ガイドワイヤ又は他の長尺状をなすガイド部材とともに用いるように構成される、少なくとも第１の管状部品と第２の管状部品とを備える管状具システムにおいて、
第１の管状部品は、ガイドワイヤ又は他のガイド部材に沿って生体内の目的位置に案内されるように、ガイドワイヤ又は他のガイド部材に容易に連結されるように設けられた端部を備えるとともに、第１の管状部品の内部を通って流体が案内されるように構成され、同第１の管状部品の端部がコネクタを備え、同コネクタが、捩りを加えることにより、ガイドワイヤ又は他のガイド部材の端部に接触することなく、横方向からガイドワイヤ又は他のガイド部材を挿入できる第１の通路を形成することと、
第２の管状部品は、ガイドワイヤ又は他のガイド部材に沿って生体内の目的位置に案内されるように、ガイドワイヤ又は他のガイド部材に容易に連結されるように設けられた端部を備えるとともに、第２の管状部品の内部を通って流体およびデブリスが排出されるように構成され、同第２の管状部品の端部がコネクタを備え、同コネクタが、捩りを加えることにより、ガイドワイヤ又は他のガイド部材の端部に接触することなく、横方向からガイドワイヤ又は他のガイド部材を挿入できる第２の通路を形成することと
からなる管状具システム。
【請求項２３】
前記第１の管状部品が、同管状部品の先端部を形成するとともに先端側の開口部にて終端する中空状をなす壁部を備え、前記第１の通路が、中空状をなす壁部に形成された通路であるとともに前記開口部に連通される請求項２２に記載の管状具。
【請求項２４】
前記第２の管状部品が、同管状部品の先端部を形成するとともに先端側の開口部にて終端する中空状をなす壁部を備え、前記第２の通路が、中空状をなす壁部に形成された通路であるとともに前記開口部に連通される請求項２２に記載の管状具。
【請求項２５】
前記通路の先端部が、通路の幅よりも大きい幅を有するフレア状の口部をなして、ガイドワイヤ又は他のガイド部材の通路への挿入を促進する請求項２３に記載の管状具。
【請求項２６】
前記通路の先端部が、通路の幅よりも大きい幅を有するフレア状の口部をなして、ガイドワイヤ又は他の長尺状をなすガイド部材の通路への挿入を促進する請求項２４に記載の管状具。
【請求項２７】
ガイドワイヤ又は他のガイド部材が前記システムの一部を構成し、同システムがデブリス遮断部材をさらに備える請求項２２に記載のシステム。
【請求項２８】
前記デブリス遮断部材が、第１の管状部品及び第２の管状部品よりも先端側において、操作可能に設けられる請求項２７に記載のシステム。
【請求項２９】
前記第１の管状部品は、流体がその内部を通って第１の流速で案内されるように構成され、前記第２の管状部品は、流体及びデブリスがその内部を通って、第１の流速よりも速い第２の流速で排出されるように構成される請求項２８に記載のシステム。
【請求項３０】
前記流体が薬剤又は治療用物質を含有する請求項２２に記載のシステム。
【請求項３１】
ガイドワイヤ又は他の長尺状をなすガイド部材が、生体内の管腔内部に延びるように配置される先端部と、生体外に配置される基端部とを有し、ガイドワイヤ又は他の長尺状をなすガイド部材とともに用いるように構成される、少なくとも第１の管状部品と第２の管状部品とを備える管状具システムにおいて、
第１の管状部品は、ガイドワイヤ又は他のガイド部材に沿って生体内の目的位置に案内されるように、ガイドワイヤ又は他のガイド部材に容易に連結されるように設けられた端部を備えるとともに、第１の管状部品の内部を通って流体が案内されるように構成され、同第１の管状部品の端部がコネクタを備え、同コネクタが、捩りを加えることにより、ガイドワイヤ又は他のガイド部材の端部に接触することなく、横方向からガイドワイヤ又は他のガイド部材を挿入できる第１の通路を形成することと、
第２の管状部品は、ガイドワイヤ又は他のガイド部材に沿って生体内の目的位置に案内されるように、管状具システムのガイドワイヤ又は他のガイド部材に対する連結が促進できるように設けられた通路部を備えるとともに、第２の管状部品の内部を通って流体およびデブリスが排出されるように構成されることと
からなる管状具システム。
【請求項３２】
前記第２の管状部品が基端部と先端部とを備え、この基端部と先端部の間に延びるように前記通路が設けられる請求項３１に記載のシステム。
【請求項３３】
ガイドワイヤ又は他のガイド部材が前記システムの一部を構成し、同システムがデブリス遮断部材をさらに備える請求項３１に記載のシステム。
【請求項３４】
前記デブリス遮断部材が、第１の管状部品及び第２の管状部品よりも先端側において、操作可能に設けられる請求項３３に記載のシステム。
【請求項３５】
前記第１の管状部品は、流体がその内部を通って第１の流速で案内されるように構成され、前記第２の管状部品は、流体及びデブリスがその内部を通って、第１の流速よりも速い第２の流速で排出されるように構成される請求項３４に記載のシステム。
【請求項３６】
前記流体が薬剤又は治療用物質を含有する請求項３１に記載のシステム。
【請求項３７】
ガイドワイヤ又は他の長尺状をなすガイド部材が、生体内の管腔内部に延びるように配置される先端部と、生体外に配置される基端部とを有し、ガイドワイヤ又は他の長尺状をなすガイド部材とともに用いるように構成される、少なくとも第１の管状部品と第２の管状部品とを備えるコンビネーションカテーテルシステムにおいて、
第１の管状部品は、ガイドワイヤ又は他のガイド部材に沿って生体内の目的位置に案内されるように、ガイドワイヤ又は他のガイド部材に容易に連結されるように設けられた端部を備えるとともに、第１の管状部品の内部を通って流体が案内されるように構成され、同第１の管状部品の端部がコネクタを備え、同コネクタが、ガイドワイヤ又は他のガイド部材を挿入できる第１の通路を形成することと、
第２の管状部品は、第１の管状部品に近接して連結されるとともに先端部を有し、第２の管状部品の内部を通って流体およびデブリスが排出されるように構成され、同第２の管状部品の先端部には、通路又は開口部が設けられて、流体及びデブリスの少なくとも一部が進入することができることと
からなるカテーテルシステム。
【請求項３８】
ガイドワイヤ又は他のガイド部材が前記システムの一部を構成し、同システムがデブリス遮断部材をさらに備える請求項３７に記載のシステム。
【請求項３９】
前記デブリス遮断部材が、第１の管状部品及び第２の管状部品よりも先端側において、操作可能に設けられる請求項３８に記載のシステム。
【請求項４０】
前記第１の管状部品は、流体がその内部を通って第１の流速で案内されるように構成され、前記第２の管状部品は、流体及びデブリスがその内部を通って、第１の流速よりも速い第２の流速で排出されるように構成される請求項３９に記載のシステム。
【請求項４１】
前記流体が薬剤又は治療用物質を含有する請求項３７に記載のシステム。
【請求項４２】
ガイドワイヤ又は他の長尺状をなすガイド部材が、生体内の管腔内部に延びるように配置される先端部と、生体外に配置される基端部とを有し、ガイドワイヤ又は他の長尺状をなすガイド部材とともに用いるように構成される、少なくとも第１の管状部品と第２の管状部品とを備えるコンビネーションカテーテルシステムにおいて、
第１の管状部品は、ガイドワイヤ又は他のガイド部材に沿って生体内の目的位置に案内されるように、ガイドワイヤ又は他のガイド部材に容易に連結されるように設けられた端部を備えるとともに、第１の管状部品の内部に流体が注入されるように構成され、同第１の管状部品の端部がコネクタを備えることと、
第２の管状部品は、第１の管状部品に近接して連結されるとともに先端部を有し、流体及びデブリスの少なくとも一部が進入可能な第２の管状部品の先端部において通路又は開口部が設けられ、第２の管状部品の内部を通って流体およびデブリスが排出されるように構成されることと
からなるカテーテルシステム。
【請求項４３】
ガイドワイヤ又は他の長尺状をなすガイド部材が前記システムの一部を構成し、同システムがデブリス遮断部材をさらに備える請求項４２に記載のシステム。
【請求項４４】
前記デブリス遮断部材が、第１の管状部品及び第２の管状部品よりも先端側において、操作可能に設けられる請求項４３に記載のシステム。
【請求項４５】
前記第１の管状部品は、流体がその内部を通って第１の流速で案内されるように構成され、前記第２の管状部品は、流体及びデブリスがその内部を通って、第１の流速よりも速い第２の流速で排出されるように構成される請求項４４に記載のシステム。
【請求項４６】
前記流体が薬剤又は治療用物質を含有する請求項４２に記載のシステム。
【請求項４７】
前記第１の管状部品が、流体遮断部材と排出口をさらに備え、流体遮断部材が排出口よりも先端側に配置されて、高圧の流れが同排出口を通過するように案内される請求項４４に記載のシステム。